(57)【要約】【課題】扉を適切な姿勢で支持する。【解決手段】扉３０を支持する扉取付手段は、後縁部を袋体１２の側面に接続して前側を開閉可能に形成され、面ファスナーＦによって該袋体１２の側面に一面が貼り付く扉ヒンジ３２を挟むと共に、該扉ヒンジ３２の他面に面ファスナーＦを介して貼り付けて、該扉ヒンジ３２を保持する取付フラップ２４と、袋体１２の下面および上面の夫々に設けられ、該袋体１２に接続した部分から延びる延出部分を取付フラップ２４の外面に面ファスナーＦを介して貼り付けて、取付フラップ２４を開き止めする一対の規制ベルト２６,２８とを備えている。【選択図】図３
2015178390.tif 000002
【特許請求の範囲】
【請求項１】
袋体の内側に配設されて箱状に組み立てた板状体によって前側に開口する収納室が画成される箱状本体部と、上下方向の軸周りに回動して該箱状本体部の開口部を開閉する扉とを備えた断熱ボックスにおいて、
前記扉の側縁部に設けた扉ヒンジを、前記袋体に設けた扉取付手段によって着脱可能に支持し、
前記扉取付手段は、
前記袋体の側面前縁部に設けられて前側が該側面前縁部に対し近接・離間可能に形成され、該袋体に面ファスナーにより着脱可能に取り付けられる前記扉ヒンジを、該袋体との間に挟んで面ファスナーで着脱可能に保持する取付フラップと、
前記袋体の外面に設けられ、該袋体に接続した部分から延びる延出部分を前記取付フラップの外面に面ファスナーで貼り付けて、前記取付フラップを開き止めする規制ベルトとを備えた
ことを特徴とする断熱ボックス。
【請求項２】
前記箱状本体部の開口部の両側に設けられた一対の扉取付手段に、夫々の前記扉ヒンジが支持された一対の扉を備えた請求項１記載の断熱ボックス。
【発明の詳細な説明】
【技術分野】
【０００１】
この発明は、物品を保冷または保温状態で収納するのに用いられる断熱ボックスに関するものである。
【背景技術】
【０００２】
物品を保冷または保温状態で搬送する断熱ボックスとしては、断熱材を含む複数枚の矩形状板材を箱状に組み立てて、物品を収納するための空間部を形成した使用状態と、矩形状板材を折り畳んでコンパクトな積層状態とに変更可能な折り畳み式のものが提案されている(例えば特許文献１参照)。特許文献１に開示の断熱ボックスは、隣接する端部同士が接合されて前開きの袋状に形成された可撓性を有するシート材と、このシート材の内側に配置された断熱板部と、シート材の右側縁前端に一体的に接続されて、この接続部分を支点に回動して前記空間部の開口を開閉可能な扉とを備えている。
【０００３】
特許文献１の断熱ボックスを折り畳む場合は、後面の断熱板部を右側面の断熱板部に接続するヒンジ部で折り曲げて、右側面の断熱板部の内側に後面の断熱板部を重ね合わせる。次に、上面の断熱板部を右側面の断熱板部に接続するヒンジ部で折り曲げて、先に折り畳まれた後面の断熱板部の内側に重ね合わせると共に、下面の断熱板部を右側面の断熱板部に接続するヒンジ部で折り曲げて、先に折り畳まれた後面の断熱板部の内側に重ね合わせる。扉は、接続部分を支点に外側に回動し、右側面のシート材の外側に重ね合わせる。そして、シート材を折り曲げて左右幅を縮めることで、断熱板部を折り畳んだ積層状態とされる。
【先行技術文献】
【特許文献】
【０００４】
【特許文献１】特許第３９４９０４９号公報
【発明の概要】
【発明が解決しようとする課題】
【０００５】
特許文献１の断熱ボックスは、前述の如く折り畳んだ際に、扉がシート材の外側に出てしまい、扉の内面が外側に露出することになる。このため、断熱ボックスを折り畳み状態で搬送する際に、扉の内面が汚れてしまう不都合がある。これを解消する方法としては、扉を面ファスナーを介してシート材に接続し、折り畳み時に扉を取り外すことが考えられる。しかしながら、縦軸周りに開閉する扉を面ファスナーで接続するだけでは、自重によって扉が面ファスナーから外れ易いといった問題が生じる。
【０００６】
すなわち本発明は、従来の技術に係る前記問題に鑑み、これらを好適に解決するべく提案されたものであって、着脱可能な扉を適切に支持し得る断熱ボックスを提供することを目的とする。
【課題を解決するための手段】
【０００７】
前記課題を克服し、所期の目的を達成するため、本願の請求項１に係る発明の断熱ボックスは、
袋体の内側に配設されて箱状に組み立てた板状体によって前側に開口する収納室が画成される箱状本体部と、上下方向の軸周りに回動して該箱状本体部の開口部を開閉する扉とを備えた断熱ボックスにおいて、
前記扉の側縁部に設けた扉ヒンジを、前記袋体に設けた扉取付手段によって着脱可能に支持し、
前記扉取付手段は、
前記袋体の側面前縁部に設けられて前側が該側面前縁部に対し近接・離間可能に形成され、該袋体に面ファスナーにより着脱可能に取り付けられる前記扉ヒンジを、該袋体との間に挟んで面ファスナーで着脱可能に保持する取付フラップと、
前記袋体の外面に設けられ、該袋体に接続した部分から延びる延出部分を前記取付フラップの外面に面ファスナーで貼り付けて、前記取付フラップを開き止めする規制ベルトとを備えたことを要旨とする。
請求項１に係る発明によれば、扉の扉ヒンジを袋体の側面との間に挟むと共に面ファスナーを介して支持する取付フラップが、規制ベルトによって開き止めされるので、片持ちした扉を扉取付手段によって適切な姿勢で支持することができる。すなわち、上下の軸周りに開閉する扉であっても自重によって外れることを防止できる。
【０００８】
請求項２に係る発明では、前記箱状本体部の開口部の両側に設けられた一対の扉取付手段に、夫々の前記扉ヒンジが支持された一対の扉を備えたことを要旨とする。
請求項２に係る発明によれば、一対の扉によって箱状本体部の開口部を開閉する構成であるので、扉の軽量化を図り得ると共に、折り畳み状態において袋体の内部に収容し易い。
【発明の効果】
【０００９】
本発明に係る断熱ボックスによれば、扉取付手段によって扉を適切な姿勢で支持することができる。
【図面の簡単な説明】
【００１０】
【図１】本発明の実施例に係る断熱ボックスを組み立て状態で示す斜視図であり、扉を閉めている。
【図２】実施例の断熱ボックスを組み立て状態で示す斜視図であり、扉を開けている。
【図３】実施例の扉取付手段を、扉を取り外した状態で示す説明図である。
【図４】実施例の断熱ボックスを折り畳み状態で示す斜視図である。
【図５】箱状本体部を図１のＡ−Ａ線に対応する部位で破断した断面図であって、奧板を組み立て姿勢から折り畳み姿勢にした状態を示している。
【図６】箱状本体部を図１のＢ−Ｂ線に対応する部位で破断した断面図であって、側板を組み立て姿勢から折り畳み姿勢にした状態を示している。
【図７】図１のＣ−Ｃ線断面図である。
【発明を実施するための形態】
【００１１】
次に、本発明に係る断熱ボックスにつき、好適な実施例を挙げて、添付図面を参照して以下に説明する。なお、実施例では、断熱ボックスとして、収納室に収納した物品を冷えた状態で保つ保冷ボックスを挙げる。また以下の説明では、保冷ボックスにおいて収納室の開口部があく前面を前側から視た状態で左右を指称している。
【実施例】
【００１２】
図１および図２に示すように、保冷ボックス１０は、前方に開放した袋体１２と、この袋体１２の内側に配設された複数の板状体１６,１８,２０,２２,２２とを備え、袋体１２の内側において箱状に組み立てた板状体１６,１８,２０,２２,２２によって前側に向けて開口する収納室１５が画成される。保冷ボックス１０は、外面をなす袋体１２および複数の板状体１６,１８,２０,２２,２２によって横長な長方体形状の箱状本体部１４が構成され、該箱状本体部１４の前面にあいた開口部１４ａを介して収納室１５に物品が出し入れされる。また、保冷ボックス１０は、箱状本体部１４における開口部１４ａの両側に設けられた一対の扉取付手段２４,２６,２８によって箱状本体部１４に対して取り付けられた一対の扉３０,３０を備えており、観音開きする一対の扉３０,３０によって開口部１４ａが開閉される。各扉３０は、その一側縁部に設けられた扉ヒンジ３２が、袋体１２の側面前縁部に設けられた扉取付手段２４,２６,２８によって着脱可能に支持されており、扉取付手段２４,２６,２８から扉ヒンジ３２を取り外すことで、扉３０を箱状本体部１４から分離し得るようになっている。そして、保冷ボックス１０は、袋体１２の内側に複数の板状体１６,１８,２０,２２,２２を箱状に組み立てると共に一対の扉３０,３０を取り付けた組み立て状態(図１および図２参照)と、取り外した扉３０および板状体１６,１８,２０,２２,２２を袋体１２の内側に重ね合わて収容すると共に袋体１２を折り畳んだ折り畳み状態(図４参照)とに変形可能に構成される。保冷ボックス１０は、組み立て状態で収納室１５に物品を収納して使用され、物品が入っていないときに、扉３０,３０を板状体１６,１８,２０,２２,２２に重ねて袋体１２に収容した折り畳み状態にすることで小さくなるようにまとめることができる。
【００１３】
前記袋体１２は、折り曲げ可能な可撓性、空気を通さない気密性、熱を通さない遮熱性および撥水性などの各種機能を有するシート材からなり、下面、上面、後面および左右の側面をなす略矩形状のシート材を互いに接続することで、前側が開口した長方形の袋状に縫製されている。シート材は、ポリエチレンテレフタレート(ＰＥＴ)、ポリエステル(ＰＥ)、ポリエチレン(ＰＥ)などの合成樹脂のフィルムや前記合成樹脂の繊維からなる織布等の強度を有する層や、アルミニウムまたはその他金属の層などを重ねた複層構造であり、例えばアルミ蒸着層を間に有するポリエチレンクロスシートを用いることができる。
【００１４】
前記板状体１６,１８,２０,２２,２２は、ＥＰＳ等のポリスチレンフォームやポリウレタンフォームや発泡ゴムなどからなる板状の断熱材Ｄと、前記袋体１２と同様の複層構造のシート材からなる被覆体Ｓとから構成され、袋状に形成された被覆体Ｓの内部に断熱材Ｄが収容されている(図５〜図７参照)。保冷ボックス１０は、板状体として、箱状本体部１４の組み立て状態において、収納室１５の下面をなす底板１６と、この底板１６の上側に対向して配置されて、収納室１５の天井をなす天板１８と、収納室１５の後面をなす奧板２０と、左右に対向配置されて、収納室１５の左右の側面をなす一対の側板２２,２２とを備えている。底板１６、天板１８、奧板２０および側板２２は、何れも矩形状であり、その厚さが同じに設定してある。天板１８の下面および左右の側板２２,２２の内側面には、柔軟な網状体から前側に開口する袋状に形成されて、蓄冷材を出し入れ可能な収容部４０が設けられている。
【００１５】
前記底板１６は、袋体１２の下面を構成する下面シート１２ａと幅(左右)および奥行き(前後)が略同じ大きさに設定され、該下面シート１２ａの内面に、面ファスナー等の取付具(図示せず)を介して着脱可能に取り付けられている。天板１８は、袋体１２の上面を構成する上面シート１２ｂと幅および奥行きが略同じ大きさで、底板１６と同じ大きさに設定され、該上面シート１２ｂの内面に、面ファスナー等の取付具(図示せず)を介して着脱可能に取り付けられている。奧板２０は、その高さ(上下)が袋体１２の後面を構成する後面シート１２ｃの高さよりも底板１６および天板１８の厚さ分だけ小さく設定されると共に、その幅が後面シート１２ｃの幅よりも左右の側板２２,２２の厚さ分だけ小さく設定される。各側板２２は、その高さが袋体１２の側面を構成する側面シート１２ｄの高さよりも底板１６および天板１８の厚さ分だけ小さく設定されると共に、その奥行きが側面シート１２ｄの奥行きと同じに設定される。奧板２０および側板２２は、同じ高さに設定される。なお、底板１６、天板１８、奧板２０および側板２２の寸法および方向は、組み立て状態にある姿勢で説明している。
【００１６】
図５に示すように、奧板２０は、その上縁部が奧板ヒンジ３４を介して天板１８の後縁部に接続されており、前記組み立て状態にある組み立て姿勢において、下面が底板１６の上面に当接すると共に上面が天板１８の下面に当接し、底板１６と天板１８との間に嵌って該天板１８を底板１６から離間するように支えている。また、奧板２０は、前記組み立て状態において、両側面が左右の側板２２,２２に夫々当接し、左右の側板２２,２２の間に嵌って該左右の側板２２,２２を互いに離間するように位置規制している。奧板２０は、袋体１２、底板１６および左右の側板２２,２２とは接続されず、奧板ヒンジ３４を支点として左右方向の軸周りに回動可能に構成されている。そして、奧板２０は、組み立て姿勢(図５の２点鎖線参照)から上縁部の奧板ヒンジ３４を支点として下部を手前側に回動して、天板１８の下側に重ね合わせた折り畳み姿勢(図５の実線参照)に姿勢変位可能になっている。奧板ヒンジ３４は、奧板２０の被覆体Ｓと天板１８の被覆体Ｓとを左右全体に亘って繋いだ部分であり、奥板ヒンジ３４によって奧板２０の上面前端が、天板１８の下面における該天板１８の後端から奧板２０の厚さ分前側の位置で接続されている。
【００１７】
図６に示すように、各側板２２は、折り曲げ可能な連結ヒンジ３６で互いに隣り合う縁部を繋いだ２枚(複数)の側板パネル２２ａ,２２ｂで構成されると共に、最下段の第１側板パネル２２ａの下縁部が、折り曲げ可能な側板ヒンジ３８を介して底板１６の側縁部に接続されている。側板２２は、前記組み立て状態にある組み立て姿勢において、第１側板パネル２２ａの下面が底板１６の上面に当接すると共に、第１側板パネル２２ａの上側に繋がる第２側板パネル２２ｂの上面が天板１８の下面に当接し、底板１６と天板１８との間に嵌って該天板１８を底板１６から離間するように支えている。第１側板パネル２２ａおよび第２側板パネル２２ｂは、被覆体Ｓの内側に断熱材Ｄが収容された互いに独立した板状体であり、第１側板パネル２２ａの上面外側端と第２側板パネル２２ｂの下面外側端とが前後全体に亘って連結ヒンジ３６を介して接続されている。すなわち、第１側板パネル２２ａおよび第２側板パネル２２ｂは、連結ヒンジ３６を支点として前後方向の軸周りに回動可能になっている。第１側板パネル２２ａは、下面内側端が前後方向全体に亘って側板ヒンジ３８を介して底板１６の上面における第１側板パネル２２ａの板厚分内側の位置に接続され、第１側板パネル２２ａは、側板ヒンジ３８を支点として底板１６に対して前後方向の軸周りに回動可能になっている。なお、側板２２のヒンジ３６,３８は、組み立て姿勢において上下に隣り合うものが、内外の側端に互い違いに配置される。
【００１８】
前記側板２２は、袋体１２および天板１８とは接続されておらず、組み立て姿勢(図６の２点鎖線参照)の第１側板パネル２２ａを側板ヒンジ３８で内側へ回動して、第１側板パネル２２ａを底板１６の上側に重ね合わせた折り畳み姿勢(図６の実線参照)に姿勢変位可能になっている。また、側板２２は、第２側板パネル２２ｂを第１側板パネル２２ａに対して連ねた組み立て姿勢から連結ヒンジ３６を支点として外側へ回動して、第２側板パネル２２ｂを折り畳み姿勢にある第１側板パネル２２ａの上側に重ね合わせた折り畳み姿勢(図６の実線参照)に姿勢変位可能になっている。なお、連結ヒンジ３６は、第１側板パネル２２ａの被覆体Ｓと第２側板パネル２２ｂの被覆体Ｓとを繋いだ部分であり、側板ヒンジ３８は、第１側板パネル２２ａの被覆体Ｓと底板１６の被覆体Ｓとを繋いだ部分である。側板２２は、組み立て姿勢において第１側板パネル２２ａおよび第２側板パネル２２ｂが図示しない面ファスナーを介して袋体１２の側面シート１２ｄに着脱可能に取り付けられる。
【００１９】
前記扉３０は、前記板状体と同様の断熱材Ｄと被覆体Ｓとからなる断熱構造の扉本体部３１と、この扉本体部３１の一側端から延出するように形成された扉ヒンジ３２と、扉本体部３１の上端および下端の夫々から延出するように形成された鍔部３３とを備えている。扉本体部３１は、その高さが、組み立て状態にある底板１６と天板１８との離間寸法と略同一に設定され、その幅が左右の側板２２,２２の離間幅の略半分に設定される。扉ヒンジ３２は、扉本体部３１の外面を構成する被覆体Ｓを延長して、扉本体部３１の側端から側板２２の厚さよりも長く側方へ延出するように形成されて、扉本体部３１の側端から側板２２の厚さ以上離間した先端部位両面に、面ファスナーＦが配設されている。なお、扉ヒンジ３２の先端部位および鍔部３３には、ポリエチレンなどの合成樹脂からなる硬質な板状芯材Ｐ(図７参照)が、被覆体Ｓに収容されており、扉ヒンジ３２は、扉本体部３１と当該先端部位との間で折り曲げ可能になっている。一対の扉３０,３０は、開口部１４ａを閉じた際に、各扉本体部３１が底板１６と天板１８との間に嵌り込むと共に、左右の扉本体部３１,３１が左右の側板２２,２２間に嵌り込み、上下の鍔部３３,３３が面ファスナーＦを介して底板１６の前端面および天板１８の前端面に着脱可能に貼り付けられる。なお、左扉３０には、開口部１４ａを閉じた際に、右扉３０の左側縁部前面に重なる横鍔部３３が、扉本体部３１の右側端から右側方へ延出するように形成され、横鍔部３３と右扉３０の左側縁部とが面ファスナーＦを介して着脱可能に貼り付けられる。
【００２０】
図３に示すように、前記扉取付手段は、袋体１２の側面前縁に設けられた取付フラップ２４と、この取付フラップ２４を開き止めする上下一対の規制ベルト２６,２８との組によって１つの扉３０を支持し、取付フラップ２４および一対の規制ベルト２６,２８の組を、左右の扉３０,３０に対応して２組備えている。取付フラップ２４は、ポリプロピレン等の合成樹脂繊維からなる織布などの折り曲げ可能な可撓性を有する帯状片から形成され、袋体１２の側面シート１２ｄの上下に亘って配設されている。取付フラップ２４は、その後縁部が側面シート１２ｄの前縁部に繋ぎ合わせられて、前側が側面シート１２ｄに対して近接・離間するように開閉可能に構成され、側面シート１２ｄと取付フラップ２４との間に前側から扉ヒンジ３２を挿脱可能になっている。取付フラップ２４は、側面シート１２ｄの前縁部に上下に亘って設けられた面ファスナーＦに対向して、側面シート１２ｄに臨む内面に上下に亘って面ファスナーＦを備えており、側面シート１２ｄの面ファスナーＦと取付フラップ２４の面ファスナーＦとが着脱可能になっている。そして、取付フラップ２４は、側面シート１２ｄの面ファスナーＦによって側面シート１２ｄに一面が貼り付く扉ヒンジ３２を挟むと共に、該扉ヒンジ３２の他面に該取付フラップ２４の面ファスナーＦを介して貼り付けて、該扉ヒンジ３２を保持するようになっている。
【００２１】
前記各規制ベルト２６,２８は、袋体１２に接続した部分から延びる延出部分を取付フラップ２４の外面に面ファスナーＦを介して貼り付けて、該取付フラップ２４が側面シート１２ｄから離間しないように開き止めするようになっている。規制ベルト２６,２８は、ポリプロピレン等の合成樹脂繊維からなる織布などの折り曲げ可能な可撓性を有する帯状片から形成される。ここで、扉取付手段は、長手方向の一端部が袋体１２における下面シート１２ａの側縁部前側に接続された下部規制ベルト２６と、長手方向の一端部が袋体１２における上面シート１２ｂの側縁部前側に接続された上部規制ベルト２８とを備えている。下部規制ベルト２６は、下面シート１２ａに接続した部分から延びる延出部分を下面シート１２ａから側面シート１２ｄ側に折り返して、取付フラップ２４の外面下部に面ファスナーＦを介して着脱可能に貼り付けられる。上部規制ベルト２８は、上面シート１２ｂに接続した部分から延びる延出部分を上面シート１２ｂから側面シート１２ｄ側に折り返して、取付フラップ２４の外面上部に面ファスナーＦを介して着脱可能に貼り付けられる。
【００２２】
前記保冷ボックス１０は、袋体１２の側面下部に長手方向の一端部が接続されると共に、長手方向の他端部が、組み立て状態において袋体１２の側面中央部に面ファスナーＦを介して着脱可能に貼り付く保持ベルト４２を備えている。保持ベルト４２は、折り畳み状態において、袋体１２の上面に面ファスナーＦを介して着脱可能に貼り付いて、折り畳んだ袋体１２が開かないように保持し得るようになっている。また、保冷ボックス１０は、袋体１２の左右の後角部の夫々に上下に離間して、一対の板状片からなる固定ベルト４４が設けられている。各固定ベルト４４は、一対の板状片を面ファスナーＦを介して貼り付けることで環状にすることができ、保冷ボックス１０を台車などに載置した際に、固定ベルト４４によって台車の柱に固定する。なお、符号４６は、取っ手である。
【００２３】
〔実施例の作用〕
次に、実施例に係る保冷ボックス１０の作用について説明する。保冷ボックス１０は、組み立て状態において、扉３０の扉ヒンジ３２を袋体１２の側面シート１２ｄと取付フラップ２４との間で両側から面ファスナーＦで貼り付けた状態で挟持し、扉ヒンジ３２を保持している取付フラップ２４を上下の規制ベルト２６,２８によって外側から押さえている。すなわち、取付フラップ２４は、側面シート１２ｄおよび扉ヒンジ３２から離れるように変位することが上下の規制ベルト２６,２８によって規制され、扉ヒンジ３２を面ファスナーＦで貼り付けて保持した状態を保つことができる。扉３０を開閉する際に、扉ヒンジ３２を保持する取付フラップ２４に扉３０の重量が加わり、特に扉３０を開放する際に取付フラップ２４に対して側面シート１２ｄから離す方向にも力が加わるが、実施例の扉取付手段２４,２６,２８によれば、扉３０の重量を扉取付手段２４,２６,２８で受け止めることができ、片持ちした扉３０を適切な姿勢で保持することがでる。すなわち、上下方向の軸周りに開閉する扉３０であっても外れ難くし得る。しかも、保冷ボックス１０は、一対の扉３０,３０によって箱状本体部１４の開口部１４ａを開閉する構成であるので、各扉３０の軽量化を図り得る。
【００２４】
前記保冷ボックス１０を組み立て状態から折り畳み状態にする場合は、上下の規制ベルト２６,２８を取付フラップ２４から外して、取付フラップ２４を袋体１２の側面シート１２ｄから離すように開放して、扉ヒンジ３２を面ファスナーＦから取り外すことで、扉３０を箱状本体部１４から分離できる(図３参照)。次に、奧板２０を上縁部の奧板ヒンジ３４を支点として手前側に回動することで、天板１８の下側に収容部４０を挟んで重ね合わせる(図５参照)。ここで、奧板２０が天板１８に対して奧板ヒンジ３４を介して接続されているので、奧板２０を奧板ヒンジ３４を支点に姿勢変位する際に、奧板２０が天板１８の下面に設けられた収容部４０に引っ掛からない。
【００２５】
前記側板２２の第１側板パネル２２ａを側板ヒンジ３８を支点として内側に回動することで、第１側板パネル２２ａを底板１６の上側に重ね合わせると共に、第２側板パネル２２ｂを連結ヒンジ３６を支点として第１側板パネル２２ａに対して外側に回動することで、第２側板パネル２２ｂを第１側板パネル２２ａの上側に重ね合わせる(図６参照)。左右の扉３０,３０を、奧板２０と第２側板パネル２２ｂとの間に重なるように袋体１２の内部に挿入し、袋体１２の後面シート１２ｃおよび左右の側面シート１２ｄ,１２ｄを折り畳み、左右の保持ベルト４２,４２を上面シート１２ｂに面ファスナーＦを介して貼り付けることで、折り畳み状態にまとめられる。ここで、保冷ボックス１０は、２枚の扉３０,３０によって開口部１４ａを開閉する構成であるので、各扉３０の左右幅が天板１８および奧板２０の左右幅よりも小さく、扉３０を袋体１２の内側に収納した際に、奧板２０と側板２２との間に扉３０の左右に位置して隙間ができる。そして、保冷ボックス１０は、袋体１２の側面シート１２ｄを前記隙間に折り込むように畳むことができる。
【００２６】
このように、保冷ボックス１０は、扉３０を箱状本体部１４から取り外して、板状体１６,１８,２０,２２に重ねて袋体１２の内部に収容することができるから、折り畳み状態において、扉３０が袋体１２の外部に露出することはなく、袋体１２によって板状体１６,１８,２０,２２だけでなく扉３０も保護することができる。すなわち、保冷ボックス１０を折り畳み状態で取り扱う際に、収納室１５の内面となる部分が汚れたり、板状体１６,１８,２０,２２や扉３０を構成する断熱材Ｄが座屈するなどの不具合を回避することができる。しかも、保冷ボックス１０は、一対の扉３０,３０によって箱状本体部１４の開口部１４ａを開閉する構成であるので、各扉３０を小型化することができ、折り畳み状態において扉３０を袋体１２の内部に収容し易い。
【００２７】
(変更例)
前述した構成に限定されず、例えば以下のようにも変更することが可能である。
(１)実施例では保冷ボックスを挙げて説明したが、収納した物品を保温する保温ボックスであってもよい。
(２)実施例では、２枚の扉で開口部を塞いだが、１枚の扉で開口部を塞いでもよい。１枚の扉の場合は、扉の途中でヒンジで折れ曲がる構成とし、扉を折り畳めるようにしてもよい。
【符号の説明】
【００２８】
１２ 袋体，１４ 箱状本体部，１４ａ 開口部，１５ 収納室，１６ 底板(板状体)，
１８ 天板(板状体)，２０ 奧板(板状体)，２２ 側板(板状体)，
２２ａ 第１側板パネル，２２ｂ 第２側板パネル，２４ 取付フラップ(扉取付手段)，
２６ 下部規制ベルト(扉取付手段)，２８ 上部規制ベルト(扉取付手段)，
３０ 扉，３２ 扉ヒンジ，３４ 奧板ヒンジ，３６ 連結ヒンジ，３８ 側板ヒンジ，
４０ 収容部，Ｆ 面ファスナー
【図１】
2015178390.tif 000003
【図２】
2015178390.tif 000004
【図３】
2015178390.tif 000005
【図４】
2015178390.tif 000006
【図５】
2015178390.tif 000007
【図６】
2015178390.tif 000008
【図７】
2015178390.tif 000009